(57)【要約】【課題】光ピックアップから延出する、配線を含む可撓性部材に損傷が生じ難く、小型な光ディスク装置を提供する。【解決手段】光ディスク装置１は、シャーシ３０と、シャーシ３０上に回転可能に設けられて光ディスク４０を保持する保持部３２と、シャーシ３０上に設けられるガイド部３４ａ、３４ｂと、ガイド部３４ａ、３４ｂに摺動可能に支持されて、保持部３２に保持される光ディスク４０に光を照射するととも光ディスク４０で反射される反射光を受光する光ピックアップ３３と、を備える。シャーシ３０には、光ピックアップ３３から延出する、配線を含む可撓性部材３３３を折り曲げ配置可能とする開口３０ａが形成され、シャーシ３０の一端部には、シャーシ３０を折り曲げて得られるとともに、開口３０ａと連続する第１の切り欠き３０１ａを有する壁部３０１が立設している。【選択図】図２
2012230742.tif 000002
【特許請求の範囲】
【請求項１】
シャーシと、
前記シャーシ上に回転可能に設けられて光ディスクを保持する保持部と、
前記シャーシ上に設けられるガイド部と、
前記ガイド部に摺動可能に支持されて、前記保持部に保持される前記光ディスクに光を照射するととも前記光ディスクで反射される反射光を受光する光ピックアップと、
を備える光ディスク装置であって、
前記シャーシには、前記光ピックアップから延出する、配線を含む可撓性部材を折り曲げ配置可能とする開口が形成され、
前記可撓性部材が前記光ピックアップから延出する方向に対応する、前記シャーシの一端部には、前記シャーシを折り曲げて得られるとともに、前記開口と連続する第１の切り欠きを有する壁部が立設している、光ディスク装置。
【請求項２】
前記壁部の上部には、前記光ディスクを載置可能なトレイとの干渉を避ける第２の切り欠きが形成されている、請求項１に記載の光ディスク装置。
【請求項３】
前記可撓性部材は、フレキシブルフラットケーブルである、請求項１又は２に記載の光ディスク装置。
【発明の詳細な説明】
【技術分野】
【０００１】
本発明は、光ディスクに記録される情報の再生や、光ディスクへの情報の記録を行うために使用される光ディスク装置に関する。
【背景技術】
【０００２】
従来、ブルーレイディスク（以下ＢＤと記載）、デジタル多用途ディスク（以下ＤＶＤと記載）、コンパクトディスク（以下ＣＤと記載）等の光ディスクに記録される情報を再生したり、これらの光ディスクに情報を記録したりするために光ディスク装置が使用される。
【０００３】
図６は、従来の光ディスク装置１００の構成を説明するための模式図である。従来の光ディスク装置１００は、筐体１０と、筐体１０外へと引き出し可能（破線矢印の方向に引き出し可能である）に筐体１０内に収容されて、光ディスクが載置されるディスクトレイ２０と、筐体１０内に収容されたディスクトレイ２０の下部側に配置され、ディスクトレイ２０の出し入れに応じて回動するトラバースシャーシ３０と、を備えている。
【０００４】
ディスクトレイ２０には、光ディスクを載置できるように図示しないディスク載置部が設けられている。また、ディスクトレイ２０の底面の一部には図示しない切り欠きが形成されている。この切り欠きにより、トラバースシャーシ３０上のスピンドルモータ３１に取り付けられるターンテーブル（図示せず）を配置する空間が確保される。また、この切り欠きにより、トラバースシャーシ３０上の光ピックアップ３３から出射されるレーザ光を、光ディスクの情報記録面に照射することが可能になっている。
【０００５】
図７は、従来の光ディスク装置１００が備えるトラバースシャーシ３０の構成を示す概略平面図である。トラバースシャーシ３０には、光ディスクの情報を再生したり、光ディスクに情報を記録したりする際に必要となる各種の部材が取り付けられている。
【０００６】
トラバースシャーシ３０の前側（ディスクトレイ２０が引き出される側を前としている）には、光ディスクを保持するためのターンテーブル３２が取り付けられたスピンドルモータ３１（図６参照）が固定されている。また、トラバースシャーシ３０上には、光ディスクの半径方向（ディスクトレイ２０の出し入れ方向に平行な方向である）に平行となるように２本のガイドシャフト３４ａ、３４ｂが、支持台３８に支持された状態で配置されている。光ディスクの情報記録面を光学的に走査する光ピックアップ３３は、この２本のガイドシャフト３４ａ、３４ｂに沿って摺動可能に取り付けられる。
【０００７】
光ピックアップ３３は、レーザ光を出射する光源（図示せず）と、光源から出射されたレーザ光を光ディスクの情報記録面に集光する対物レンズ３３１、３３２と、情報記録面で反射された戻り光を受光して光信号を電気信号に変換する受光部（図示せず）と、を備えている。なお、光ディスク装置１００は、ＢＤ、ＤＶＤ及びＣＤを互換する構成であり、光ピックアップ３３には、ＢＤ用の対物レンズ３３１を含むＢＤ用の光学系と、ＤＶＤ及びＣＤ用の対物レンズ３３２を含むＤＶＤ及びＣＤ用の光学系とが設けられている。
【０００８】
トラバースシャーシ３０にはステッピングモータ３５が固定配置され、このステッピングモータ３５の出力軸にはリードスクリュ３６が取り付けられている。リードスクリュ３６の長手方向（図７の上下方向）は、光ディスクの半径方向に平行となる。リードスクリュ３６には、光ピックアップ３３に取り付けられたティース３７が係合している。
【０００９】
ティース３７には、付勢バネ３７ａと、この付勢バネ３７ａによってリードスクリュ３６の長手方向に対して略直交する方向に付勢されるギア歯３７ｂとが設けられている。このギア歯３７ｂは、リードスクリュ３６に設けられる螺旋状の溝３６ａに押圧された状態で噛合する。これにより、ティース３７は、ステッピングモータ３５によるリードスクリュ３６の回転を、リードスクリュ３６の長手方向（光ディスクの半径方向）に平行な直線方向の運動に変換して光ピックアップ３３に伝達する。
【００１０】
図８は、従来の光ディスク装置１００の動作を説明するための図で、図８（ａ）はディスクトレイ２０が筐体１０から引き出された状態を示し、図８（ｂ）は光ディスク４０が搭載されたディスクトレイ２０が筐体１０内に収容された状態を示している。
【００１１】
図８（ａ）に示すように、光ディスク４０を載置するためにディスクトレイ２０が引き出されると、トラバースシャーシ３０は後端部Ｂを中心に回転し、その前端部Ｆが下方に移動する。この回転動作は、トラバースシャーシ３０に取り付けられる図示しない回転機構によって可能となっており、この回転機構はディスクトレイ２０の出し入れを行う出し入れ機構と連動して動作するようになっている。
【００１２】
ディスクトレイ２０に光ディスク４０が載置されて、ディスクトレイ２０が筐体１０内に収容されると、ディスクトレイ２０を引き出した場合と逆方向にトラバースシャーシ３０は回転する。これにより、トラバースシャーシ３０の前端部Ｆは下方に下がった状態から上昇し、ディスクトレイ２０を引き出す前の元の状態に戻る（図８（ｂ）の状態）。トラバースシャーシ３０が上昇する際、ターンテーブル３２は、光ディスク４０の中心部下面と接触するとともに、その状態から更に上昇することでターンテーブル３２の上方に設けられるクランパ３９と協働して光ディスク４０を保持する。これにより、スピンドルモータ３１により光ディスク４０の回転が可能になる。
【００１３】
なお、光ディスク４０を取り出すためにディスクトレイ２０が引き出される際には、ターンテーブル３２がディスクトレイ２０より下に下がることによって、ターンテーブル３２に保持された光ディスク４０がディスクトレイ２０に受け渡される。そして、この受け渡しが完了した状態でディスクトレイ２０が筐体１０から引き出されることで、光ディスク４０の取り出しが可能になる。
【先行技術文献】
【特許文献】
【００１４】
【特許文献１】特開２００８−１８６５６０号公報
【発明の概要】
【発明が解決しようとする課題】
【００１５】
ところで、光ピックアップ３３からは、図７に示すように、光ピックアップ３３外部の基板との電気的な接続を確保するために、外周方向（光ディスク４０を基準とした表現であり、図７では下向きが該当）に向けてフレキシブルフラットケーブル（ＦＦＣ；Flexible Flat Cable）３３３が延び出している。
【００１６】
図９は、光ピックアップ３３から延び出すＦＦＣ３３３について説明するための模式図（断面図）である。図９に示すように、光ピックアップ３３から延び出したＦＦＣ３３３は湾曲した状態で折り返されて、その一部がトラバースシャーシ３０の下側に配置される。なお、トラバースシャーシ３０の中央部分には開口３０ａ（図７も参照）が形成されており、折り返されたＦＦＣ３３３はトラバースシャーシ３０に干渉しないようになっている。
【００１７】
近年においては、光ディスク装置１００の小型化が要求され、トラバースシャーシ３０の長手方向のサイズ（図７の上下方向が該当）が短くされる傾向にある。このために、光ピックアップ３３から延び出すＦＦＣ３３３とトラバースシャーシ３０との間の距離ｄ（図７参照）を十分に確保するのが難しくなっている。この結果、光ピックアップ３３が外周に移動した場合に、ＦＦＣ３３３がトラバースシャーシ３０に干渉する可能性が高くなっている。そして、このような干渉が生じると、ＦＦＣ３３３の耐久性が低下したり、最悪の場合にはＦＦＣ３３３に断線が生じたりする等の問題が発生する。
【００１８】
ＦＦＣ３３３の耐久性低下や断線といった問題を解消するために、特許文献１に開示される技術を参考に、トラバースシャーシ３０内側のコーナエッジ部ＥＤを覆う保護片部を設けることが考えられる。しかしながら、光ディスク装置１００の更なる小型化の要求により、このような保護片部を設けることも難しくなっている。
【００１９】
以上の点に鑑みて、本発明の目的は、光ピックアップから延出する、配線を含む可撓性部材に損傷が生じ難く、小型化可能な光ディスク装置を提供することである。
【課題を解決するための手段】
【００２０】
上記目的を達成するために本発明の光ディスク装置は、シャーシと、前記シャーシ上に回転可能に設けられて光ディスクを保持する保持部と、前記シャーシ上に設けられるガイド部と、前記ガイド部に摺動可能に支持されて、前記保持部に保持される前記光ディスクに光を照射するととも前記光ディスクで反射される反射光を受光する光ピックアップと、を備える光ディスク装置であって、前記シャーシには、前記光ピックアップから延出する、配線を含む可撓性部材を折り曲げ配置可能とする開口が形成され、前記可撓性部材が前記光ピックアップから延出する方向に対応する、前記シャーシの一端部には、前記シャーシを折り曲げて得られるとともに、前記開口と連続する第１の切り欠きを有する壁部が立設している構成（第１の構成）とされる。
【００２１】
本構成によれば、壁部側に向けて光ピックアップが移動した場合でも、壁部にシャーシの開口と連続する第１の切り欠きが形成されているために、光ピックアップから延出する可撓性部材はシャーシに干渉せずに済む。これにより、配線を含む可撓性部材の耐久性低下や断線の可能性が低減できる。
【００２２】
また、シャーシにおいて可撓性部材と干渉する部分を抹消したにもかかわらず、ブリッジ構造の壁部（第１の切り欠きを有する壁部）が存在するために、シャーシの強度低下は抑制可能となっている。そして、ブリッジ構造の壁部を採用することによって、シャーシの開口をシャーシの一端と連続する構造とできる（すなわち、余分な肉厚を抹消できる）ために、シャーシの長さ（光ピックアップの移動方向の長さ）を短くできる。
【００２３】
上記第１の構成の光ディスク装置において、前記壁部の上部には、前記光ディスクを載置可能なトレイとの干渉を避ける第２の切り欠きが形成されている構成（第２の構成）を採用してもよい。本構成は、光ディスク装置の薄型化が必要な場合に有効な構成と言える。
【００２４】
上記第１又は第２の構成の光ディスク装置において、前記可撓性部材は、フレキシブルフラットケーブルである構成としてもよい。可撓性部材としては、例えばフレキシブルフラットケーブル（ＦＦＣ）やフレキシブルプリント基板（ＦＰＣ）等が使用可能であり、いずれが採用される場合にも本発明は有効である。ただし、ＦＰＣに比べＦＦＣの方が湾曲配置される場合の曲げに対する耐久性が低いために、本発明は可撓性部材としてＦＦＣが利用される場合により有効である。
【発明の効果】
【００２５】
本発明によれば、光ピックアップから延出する、配線を含む可撓性部材に損傷が生じ難く、小型化可能な光ディスク装置を提供可能である。
【図面の簡単な説明】
【００２６】
【図１】本実施形態の光ディスク装置の構成を説明するための模式図
【図２】本実施形態の光ディスク装置が備えるトラバースシャーシの構成を示す概略斜視図
【図３】本実施形態の光ディスク装置が備える筐体に収容されたトラバースシャーシを上から見た概略平面図
【図４】図３のＡ−Ａ位置における概略断面図
【図５】本実施形態の光ディスク装置が備えるディスクトレイと、トラバースシャーシに設けられる壁部との関係を示す模式図
【図６】従来の光ディスク装置の構成を説明するための模式図
【図７】従来の光ディスク装置が備えるトラバースシャーシの構成を示す概略平面図
【図８】従来の光ディスク装置の動作を説明するための図
【図９】光ピックアップから延び出すＦＦＣについて説明するための模式図
【発明を実施するための形態】
【００２７】
以下、本発明の光ディスク装置の実施形態について、図面を参照しながら説明する。図１は、本実施形態の光ディスク装置１の構成を説明するための模式図である。なお、図１においては、ディスクトレイ２０に光ディスク４０が搭載された状態が示されている。また、図１においては、ディスクトレイ２０の外部への引き出し方向は右方向（破線矢印方向）となっている。また、図１において、内周側及び外周側は光ディスク４０を基準とした表現である。以下、同様の意味で内周、外周という言葉を使用する。
【００２８】
図１に示すように、光ディスク装置１は、大きくは、筐体１０、ディスクトレイ２０、及び、トラバースシャーシ３０を備える構成となっている。筐体１０、ディスクトレイ２０、及び、トラバースシャーシ３０の構成や機能については、上述した従来の光ディスク装置１００（図６から図８参照）と概ね同様である。このために、従来の構成と重複する部分については同一の符号を付し、特に説明の必要がない場合には、その説明を省略する。
【００２９】
なお、トラバースシャーシ３０上に取り付けられるスピンドルモータ３１によって、ターンテーブル３２（図７参照）は回転される。ターンテーブル３２は、クランパ３９と協働して光ディスク４０を保持する。このターンテーブル３２は、本発明の保持部の一例である。また、ターンテーブル３２とともに回転される光ディスク４０の情報の読み取り、光ディスク４０への情報の書き込みは、ガイドシャフト３４ａ、３４ｂに摺動可能に保持される光ピックアップ３３によって実現される。このガイドシャフト３４ａ、３４ｂ（後述の図３も参照）は、本発明のガイド部の一例である。
【００３０】
以下、本実施形態の光ディスク装置１に特徴的な構成に絞って説明する。
【００３１】
図２は、本実施形態の光ディスク装置１が備えるトラバースシャーシ３０の構成を示す概略斜視図である。図２に示すように、例えば板金によって構成されるトラバースシャーシ３０には、光ピックアップ３３の移動を許容するために必要となる開口３０ａが形成されている。
【００３２】
また、トラバースシャーシ３０の外周側の端部（ＦＦＣ３３３が光ピックアップ３３から延出する方向に対応する端部に該当）には、トラバースシャーシ３０の一端を略直角に折り曲げて得られる壁部３０１が形成されている。この壁部３０１の下部側には、壁部３０を正面側から見た場合に略矩形状となる第１の切り欠き３０１ａが設けられている。この第１の切り欠き３０１ａは、外周端にまで延び出す開口３０ａと連続している。このために、トラバースシャーシ３０の外周端に立設する壁部３０１は、外周端側において、開口３０ａによって左右に分かれる部分３０ｂ、３０ｃを橋渡しするブリッジ構造となっている。
【００３３】
このブリッジ構造の壁部３０１を設けた効果について、図３及び図４を参照しながら説明する。図３は、本実施形態の光ディスク装置１が備える筐体１０に収容されたトラバースシャーシ３０を上から見た概略平面図である。図３では、トラバースシャーシ３０より上側に配置されるディスクトレイ２０等がないものとされている。また、図３では、トラバースシャーシ３０上に、ティース３７が取り付けられた光ピックアップ３３と、光ピックアップ３３を摺動可能に保持するガイドシャフト３４ａ、３４ｂと、が搭載された状態を示している。図３では、トラバースシャーシ３０上に取り付けられる、ターンテーブ３２付きのスピンドルモータ３１や、リードスクリュ３６が取り付けられるステッピングモータ３５等は省略されている。図４は、図３のＡ−Ａ位置における概略断面図である。
【００３４】
なお、ティース３７の構成は、従来の光ディスク装置１００の構成とは若干異なっている。しかし、このティース３７も、ステッピングモータ３５（図１参照）によるリードスクリュ３６（図１参照）の回転を、リードスクリュ３６の長手方向（図１において左右方向、図３において上下方向）に平行な直線方向の運動に変換して光ピックアップ３３に伝達するものであることに変わりはない。
【００３５】
図３に示すように、トラバースシャーシ３０上に配置される光ピックアップ３３からはＦＦＣ３３３が延出している。そして、図４に示すように、このＦＦＣ３３３は、トラバースシャーシ３０に形成される開口３０ａの存在により、湾曲した状態で折り返されて、その一部がトラバースシャーシ３０と筐体１０との間に配置される。なお、ＦＦＣ３３３は、本発明の配線を含む可撓性部材の一例である。また、開口３０ａは、本発明における、光ピックアップから延出する可撓性部材を折り曲げ配置可能とする開口の一例である。
【００３６】
光ピックアップ３３が外周側に移動すると、図３及び図４に示すように、光ピックアップ３３から引き出されるＦＦＣ３３３がトラバースシャーシ３０の壁部３０１に接近する。この点、壁部３０１には第１の切り欠き３０１ａが形成されている。このために、図４に示すように、湾曲するＦＦＣ３３３はトラバースシャーシ３０に干渉せずに済む。したがって、光ディスク装置１では、ＦＦＣ３３３の耐久性低下や断線の可能性が低減される。
【００３７】
一方、このようにトラバースシャーシ３０においてＦＦＣ３３３と干渉する部分を抹消したにもかかわらず、ブリッジ構造の壁部３０１が存在するために、トラバースシャーシ３０の強度の低下は抑制されている。そして、ブリッジ構造の壁部３０１を採用することによって、開口３０ａをトラバースシャーシ３０の外周端と連続する構造とできる（すなわち、余分な肉厚を抹消できる）ために、トラバースシャーシ３０の長さ（光ピックアップ３３の移動方向の長さ）を短くできる。すなわち、光ディスク装置１は、光ディスク４０の出し入れ方向（図１では左右方向、図３では上下方向）のサイズを小さくして小型化可能な構造となっている。
【００３８】
図２に戻って、トラバースシャーシ３０に設けられる壁部３０１の上部中央寄りには、壁部３０を正面側から見た場合に略台形状となる第２の切り欠き３０１ｂが形成されている。この第２の切り欠き３０１ｂを設けた効果について、図５を参照しながら説明する。なお、図５は、本実施形態の光ディスク装置１が備えるディスクトレイ２０と、トラバースシャーシ３０に設けられる壁部３０１との関係を示す模式図である。図５は、ディスクトレイ２０の出し入れ方向に沿って、ディスクトレイ２０とトラバースシャーシ３０とを見た場合の図である。
【００３９】
ディスクトレイ２０には、図５に示すように、ディスクトレイ２０が引き出される側と反対側（図１において左端側）に凹部２０ａが形成されている。この凹部２０ａは、筐体１０に対して出し入れされるディスクトレイ２０と、筐体１０上部に設けられるクランパ３９との干渉を避けるために設けられる。この凹部２０ａの存在により、ディスクトレイ２０は、その一部が下側に突出した構造となっている。
【００４０】
ブリッジ構造の壁部３０１に設けられる第２の切り欠き３０１ｂは、この突出構造に対応したものである。すなわち、第２の切り欠き３０１ｂにより、ディスクトレイ２０とトラバースシャーシ３０（壁部３０１）との干渉が回避されている。このような構成は、光ディスク装置１を薄型化する場合に有効である。
【００４１】
以上に示した実施形態は本発明が適用される光ディスク装置の例示であって、本発明が適用される光ディスク装置の構成は以上に示した実施形態の構成に限定されないのは言うまでもない。
【００４２】
例えば、以上に示した実施形態においては、光ピックアップ３３からＦＦＣ３３３が延び出す構成とした。しかし、本発明の適用範囲は、この構成に限定されるものではない。光ピックアップ３３からはＦＦＣではなく、フレキシブルプリント基板（ＦＰＣ；Flexible Printed Circuit）が延び出す構成が採用される場合もあり、このような構成に対しても本発明は適用可能である。このため、ＦＰＣも本発明の配線を含む可撓性部材の一例となる。
【００４３】
また、以上に示した実施形態においては、ブリッジ構造の壁部３０１に第２の切り欠き３０１ｂを設ける構成とした。しかし、この第２の切り欠き３０１ｂは必須のものではなく、ディスクトレイ２０がトラバースシャーシ３０（壁部３０１）と干渉しないのであれば第２の切り欠き３０１ｂは設けなくてもよい。
【００４４】
その他、以上に示した実施形態においては、光ピックアップ３３が２つの対物レンズ３３１、３３２を備える構成とした。しかし、本発明の適用範囲はこの構成に限定されるものではない。すなわち、光ピックアップが備える対物レンズの数によらず、本発明は適用可能である。また、本発明は、光ディスク装置が情報の再生や記録を行える光ディスクの種類がＢＤ、ＤＶＤ及びＣＤ以外であっても適用可能なのは勿論である。
【産業上の利用可能性】
【００４５】
本発明は、光ディスクの再生や記録を行う光ディスク装置を小型化可能であり、光ディスク装置に有用な技術である。
【符号の説明】
【００４６】
１  光ディスク装置
２０  ディスクトレイ
３０  トラバースシャーシ（シャーシ）
３０ａ  開口
３２  ターンテーブル（保持部）
３３  光ピックアップ
３４ａ、３４ｂ  ガイドシャフト（ガイド部）
３０１  折曲部
３０１ａ  第１の切り欠き
３０１ｂ  第２の切り欠き
３３３  ＦＦＣ（可撓性部材）
【図１】
2012230742.tif 000003
【図２】
2012230742.tif 000004
【図３】
2012230742.tif 000005
【図４】
2012230742.tif 000006
【図５】
2012230742.tif 000007
【図６】
2012230742.tif 000008
【図７】
2012230742.tif 000009
【図８】
2012230742.tif 000010
【図９】
2012230742.tif 000011